(57)【要約】【課題】  本考案は建設現場等におけるコンクリート型枠の角締め装置に関し、特にコンクリート型枠の角締めに、専用の角締め装置を使用し、作業者に負担を課すことがなく、作業時間を短縮するコンクリート型枠の角締め装置を提供するものである。【解決手段】  本考案は、コンクリート型枠の角締め作業を専用の角締め装置を使用して行い、かつ電動工具を使用して容易に行える構成である。すなわち、コンクリート型枠の角部にチェーンを掛け渡し、コンクリート型枠の角部に引通し材を立設し、この引通し材に摺接して角締め装置と取り付けることによって、角締め装置に設けられたボルトの回動し、駆動部材を開き、チェーンを締着する構成である。【選択図】  図１
0003114179.tif 000002
【実用新案登録請求の範囲】
【請求項１】
引通し材に摺接する摺接手段と、
該摺接手段に先端が当接し、周面に螺旋が形成されたボルト手段と、
該ボルト手段の周面に形成された螺旋に螺着し、該ボルト手段の回動に従って前記摺接手段から離れる方向に移動する駆動手段と、
前記ボルト手段を回動させる電動駆動手段と、
を有することを特徴とするコンクリート型枠の角締め装置。
【請求項２】
前記摺接手段と駆動手段の一端は支持部材によって摺動可能に取り付けられ、前記駆動手段の外周面にコンクリート型枠の角締めを行うチェーンが摺擦することを特徴とする請求項１記載のコンクリート型枠の角締め装置。
【請求項３】
前記摺接手段は、丸パイプ状の引通し材に摺接することを特徴とする請求項１、又は２記載のコンクリート型枠の角締め装置。
【請求項４】
前記摺接手段は、角パイプ状の引通し材に摺接することを特徴とする請求項１、又は２記載のコンクリート型枠の角締め装置。
【請求項５】
前記摺接手段の内周面には、前記引通し材に形成された穴に貫入する突起が立設されていることを特徴とする請求項１、２、３、又は４記載のコンクリート型枠の角締め装置。
【請求項６】
前記電動駆動手段には、前記ボルト手段の頭部形状に対応した覆設手段が取り付けられていることを特徴とする請求項１、２、３、４、又は５記載のコンクリート型枠の角締め装置。
【請求項７】
前記チェーンの端部は、前記コンクリート型枠に取り付けられたセパレータに固定されていることを特徴とする請求項１、２、３、４、５、又は６記載のコンクリート型枠の角締め装置。
【考案の詳細な説明】
【技術分野】
【０００１】
本考案は、建設現場等におけるコンクリート型枠の角締め装置に関する。
【背景技術】
【０００２】
今日、木造建築に比べ耐震性に優れ、耐用年数も長い鉄筋コンクリートの建物が増えている。鉄筋コンクリートの構造（ＲＣ構造）は、コンクリートと鉄筋とが一体となった構造であり、コンクリートは圧縮に強く、鉄筋は引張りに強い特性を持ち、両者の特性を生かした構造である。
【０００３】
このような鉄筋コンクリートの建物は、鉄筋を組み、合板等より成る型枠パネルでコンクリート型枠を作り、この中にコンクリート（所謂生コン）を流し込み、躯体を構築していく。通常、型枠組立て後、型枠の角部をチェーンで補強する。これは、型枠にコンクリートを流し込んだ際、型枠がコンクリートの重みで外側に広がることを防止するためである。
【０００４】
従来、チェーンによる角部の締め込みは、ターンバックルを使用して行われる。例えば、コンクリート型枠の角部に掛け渡されたチェーンをターンバックルのフックに掛け、握持部を握りながら回転させることによってチェーンを締め込む。
【０００５】
また、特許文献１には、コンクリート製品に形成されたねじ穴にインサートが埋め込まれ、２つのコンクリート製品をターンバックルで連結する発明が開示されている。
【特許文献１】特開２００３−２３９３９２号公報
【考案の開示】
【考案が解決しようとする課題】
【０００６】
しかしながら、上記従来の方法では、チェーンを締めるため、ターンバックルを手動で回す必要がある。ターンバックルの締め作業は力の必要な作業であり、しかもコンクリート型枠には数多くのターンバックルが使用され、作業者の負担が大きい。また、前述の特許文献１の場合も、２つのコンクリート製品を連結するため、ターンバックルを手動で回す必要があり、作業者への負担が大きい。
【０００７】
そこで、本考案はコンクリート型枠の角締めに、専用の角締め装置を使用し、作業者に負担を掛けることがなく、作業時間を短縮するコンクリート型枠の角締め装置を提供するものである。
【課題を解決するための手段】
【０００８】
上記課題は本考案によれば、引通し材に摺接する摺接手段と、該摺接手段に先端が当接し、周面に螺旋が形成されたボルト手段と、該ボルト手段の周面に形成された螺旋に螺着し、該ボルト手段の回動に従って前記摺接手段から離れる方向に移動する駆動手段と、前記ボルト手段を回動させる電動駆動手段とを有するコンクリート型枠の角締め装置を提供することによって達成できる。
【０００９】
また、前記摺接手段と駆動手段の一端は支持部材によって摺動可能に取り付けられ、例えば前記駆動手段の外周面にコンクリート型枠の角締めを行うチェーンが摺擦する構成である。
【００１０】
また、前記摺接手段は、例えば丸パイプ状の引通し材に摺接する構成であり、又前記摺接手段は、例えば角パイプ状の引通し材に摺接する構成である。
【００１１】
また、前記摺接手段の内周面には、例えば前記引通し材に形成された穴に貫入する突起が立設されている。また、前記電動駆動手段には、前記ボルトの頭部形状に対応した覆設手段が取り付けられている。
【００１２】
さらに、前記チェーンの端部は、例えば前記コンクリート型枠に取り付けられたセパレータに固定されている。
【考案の効果】
【００１３】
本考案によれば、コンクリート型枠の角締め作業が容易になると共に、経験が少ない作業者でも簡単に型枠の角締め作業を行うことができる。
【００１４】
また、従来に比べてチェーンの使用量を削減できる。
【考案を実施するための最良の形態】
【００１５】
以下、図面を参照しながら、本考案の実施の形態について詳細に説明する。
【００１６】
図１は本実施形態の角締め装置を適用したコンクリート型枠の斜視図である。また、図２は図１のコンクリート型枠を上方から視た図である。両図において、１は外側の型枠パネルであり、２は内側の型枠パネルである。また、外側の型枠パネル１と内側の型枠パネル２間にはセパレータ２２が配設され、一定幅のスペース３に形成されている。尚、このスペース３にはコンクリート（所謂生コン）が流し込まれる。
【００１７】
両図は、特にコンクリート型枠の角部を示し、外側の型枠パネル１は１ａ及び１ｂで構成され、外側の型枠パネル１ａは４本の丸パイプ４ａ乃至７ａで側面を保持され、外側のパネル１ｂは４本の丸パイプ４ｂ乃至７ｂで側面を保持されている。ここで、丸パイプ４ａと５ａ、６ａと７ａはそれぞれ対となり、外側の型枠パネル１ａを側面から支え、丸パイプ４ｂと５ｂ、６ｂと７ｂはそれぞれ対となり、外側の型枠パネル１ｂを側面から支える。
【００１８】
尚、内側の型枠パネル２についても、外側の型枠パネル１と同様、内側の型枠パネル２は２ａ及び２ｂで構成され、内側の型枠パネル２ａも４本のパイプで側面を支えられ、内側の型枠パネル２ｂも４本の丸パイプで側面を支えられている。但し、図２では最上部の丸パイプ９（９ａ、９ｂ）のみを示す。
【００１９】
前述のセパレータ２２は内側の丸パイプと外側の丸パイプにナット２３、２４で固定されている。図３はセパレータ２２で固定された型枠パネル１（１ａ）、２（２ａ）の状態を示す詳細図である。
【００２０】
一方、コンクリート型枠の角部には、図１に示すように、引通し材１０が立設されている。この引通し材１０には上下にチェーン１１ａ、１１ｂが巻装されている。このチェーン１１ａ、１１ｂはコンクリート型枠にコンクリートを注入した際、角締め機能を有する。また、チェーン１１ａ、１１ｂの両端は前述のセパレータ２２に掛け渡されている。また、チェーン１１ａと引通し材１０との摺擦部１２ａには角締め装置１３が取り付けられ、チェーン１１ｂと引通し材１０との摺擦部１２ｂには角締め装置１４が取り付けられている。尚、型締め装置１３、１４は、共に同じ構成である。
【００２１】
図４は型締め装置１３（１４）の外観構成を示す図である。型締め装置１３（１４）は引通し材１０の外周に摺接する摺接部材１５と、支持部１９を支点に矢印ａ方向に開動する駆動部材１６で構成されている。また、駆動部材１６の矢印ａ方向への開動は、ナット１８を介装して一端が摺接部材１５に当接するボルト１７を回動させることによって行う。
【００２２】
例えば、ボルト１７を矢印ｂ方向に回動させることにより、駆動部材１６はナット１８をボルト１７の頭部に移動し、駆動部材１６を除々に矢印ａ方向に開動する。図５は上記型締め装置１３（１４）を上方から視た図であり、ボルト１７を回動することによって駆動部材１６が矢印ａ方向に開く。したがって、例えば図４に示すＡ部に前述のチェーンを掛け渡し、ボルト１７を回動することによって駆動部材１６が矢印ａ方向に開き、チェーンによってコンクリート型枠を角締めすることができる。
【００２３】
図６はこの構成を説明する図である。前述のチェーン１１ａ、１１ｂは引通し材１０を介してコンクリート型枠の角部に掛け渡され、角部に立設する引通し材１０に取り付けられた角締め装置１３、１４のＡ部に摺擦している。この状態で、前述のボルト１７を回動することによって駆動部材１６が前述の矢印ａ方向に開き、チェーン１１ａ及び１１ｂによってコンクリート型枠を角締する。
【００２４】
また、上記ボルト１７の回動を特別な電動工具によって行う。図７は角締め装置１３（１４）のボルト１７を回動する状態を示す。この電動工具２０には、先端に前述のボルト１７の頭部の形状に対応した金具２１が取付けられ、電動工具２０を駆動すると、ボルト１７を回動する構成である。したがって、従来のように、チェーン１１ａ、１１ｂの角締めにターンバックルを使用する必要がなく、簡単にボルト１７を回動させ、コンクリート型枠の角締めを行うことができる。
【００２５】
尚、上記実施形態の説明では、引通し材１０は、パイプ状であるが、断面形状が四角形の引通し材を使用することもあり、かかる場合図８に示す角締め装置を使用する。この場合、摺接部材１５も角形であり、ボルト１７の先端１９’が摺接部材１５の角部に当接した場合でも安定して保持できる形状とする。
【００２６】
また、図９は型締め装置１３（１４）を引通し材１０に取り付ける際、取り付けを容易にする構成である。すなわち、摺接部材１５の内側に突起２６、２７を立設し、引通し材１０に設けられた不図示の穴に貫入し、角締め装置１３（１４）を引通し材１０に保定する構成である。このように構成することにより、作業者は角締め作業を行う際、角締め装置１３（１４）を支える必要がなく、より簡単に電動工具２０を操作してチェーン１１ａ、１１ｂを締着することができる。
【００２７】
また、この場合、引通し材１０に形成する穴を上下に長い長穴とし、上記突起２６、２７の一部に図９に示す溝２８を設け、この溝２８を引通し材１０の長穴に嵌め込む構成とする。このように構成することにより、型締め装置１３（１４）を引通し材１０に固定して作業を行うことが可能となる。尚、図１０はこの場合の引通し材１０の構成を示し、引通し材１０に長穴３４を設ける。
【００２８】
さらに、図１１はコンクリート型枠の端部の広がりを防止するため、コンクリート型枠の端部に本例の角締め装置を適用する例を示す。尚、図１１（ａ）はコンクリート型枠の側面図であり、同図（ｂ）はその上面図である。両図に示すように、引通し材３０に摺接して角締め装置３１を取り付け、前述と同様に操作することによって、コンクリート型枠の端部に巻き回されたチェーン３２を締着することができる。
【図面の簡単な説明】
【００２９】
【図１】本実施形態の角締め装置を適用したコンクリート型枠の斜視図である。
【図２】図１のコンクリート型枠を上方から視た図である。
【図３】セパレータで固定された型枠パネルの状態を示す詳細図である。
【図４】型締め装置の外観構成を示す図である。
【図５】角締め装置を上方から視た図である。
【図６】ボルトを回動することによって駆動部材が矢印ａ方向に開き、チェーンによってコンクリート型枠を角締めする状態を示す図である。
【図７】電動工具によって角締め装置を利用する状態を示す図である。
【図８】角締め装置の変形例を示す図である。
【図９】角締め装置の変形例を示す図である。
【図１０】引通し材の構成を示す図である。
【図１１】角締め装置をコンクリート型枠の端部に適用する例を示す図である。
【符号の説明】
【００３０】
１、１ａ、１ｂ・・・外側の型枠パネル
２、２ａ、２ｂ・・・内側の型枠パネル
３・・・スペース
４ａ、５ａ、６ａ、７ａ・・・丸パイプ
４ｂ、５ｂ、６ｂ、７ｂ・・・丸パイプ
９、９ａ、９ｂ・・・丸パイプ
１０・・・引通し材
１１ａ、１１ｂ・・・チェーン
１２ａ、１２ｂ・・・摺接部
１３、１４・・・角締め装置
１５・・・摺接部材
１６・・・駆動部材
１７・・・ボルト
１８・・・ナット
１９・・・支持部
２０・・・電動工具
２１・・・金具
２２・・・セパレータ
２６、２７・・・突起
２８・・・溝
３０・・・引通し材
３１・・・角締め装置
３２・・・チェーン
３４・・・長穴
【図１】
0003114179.tif 000003
【図２】
0003114179.tif 000004
【図３】
0003114179.tif 000005
【図４】
0003114179.tif 000006
【図５】
0003114179.tif 000007
【図６】
0003114179.tif 000008
【図７】
0003114179.tif 000009
【図８】
0003114179.tif 000010
【図９】
0003114179.tif 000011
【図１０】
0003114179.tif 000012
【図１１】
0003114179.tif 000013